【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
第１方向に沿って延びる第１の辺及び第２の辺と、前記第１方向と交差する第２方向に沿って延びる第３の辺及び第４の辺と、を少なくとも有する基板と、
前記基板に配された複数の液体吐出素子と、
前記基板の第１の辺に沿って配された複数の電源端子と、
前記複数の電源端子と接続される格子状の第１配線と、
を有し、
前記基板において、前記第１の辺と前記第３の辺の成す角が鈍角であり、前記第１の辺と前記第４の辺の成す角が鋭角であり、
前記複数の電源端子において、前記第４の辺までの距離より第３の辺までの距離のほうが小さい位置にある電源端子の数が、前記第３の辺までの距離より前記第４の辺までの距離のほうが小さい位置にある電源端子の数より多いことを特徴とする液体吐出ヘッド用基板。
【請求項２】
前記複数の電源端子とは別の少なくとも１つの電源端子に接続され、前記第１配線とは異なる電位が供給される格子状の第２配線を有し、
前記少なくとも１つの電源端子は、前記第４の辺までの距離より前記第３の辺までの距離が小さい位置にあることを特徴とする請求項１に記載の液体吐出ヘッド用基板。
【請求項３】
前記第１配線は、前記複数の液体吐出素子のそれぞれ異なる１つに接続されるための複数の接続部を有し、前記複数の接続部の少なくとも１つは、前記第４の辺までの距離より前記第３の辺までの距離のほうが小さい位置にあることを特徴とする請求項１または２に記載の液体吐出ヘッド用基板。
【請求項４】
前記第１配線は、前記複数の液体吐出素子のそれぞれ異なる１つに接続されるための複数の接続部を有し、
前記複数の接続部は、前記ｎ個の電源端子からの抵抗が最も大きい第１接続部と、前記第１接続部から最も遠い位置にある第２接続部を有し、
前記第１方向において、前記第１配線に接続された前記複数の電源端子の位置座標の和を当該複数の電源端子の個数ｎで割って得られる、前記ｎ個の電源配線の配置重心の位置座標をＣｍ、前記第１接続部の位置座標をＣａ、前記第２接続部の位置座標をＣｂとしたときに、
ＣａとＣｍの差の絶対値が、ＣｂとＣｍの差の絶対値より小さいことを特徴とする請求項１乃至３のいずれか１項に記載の液体吐出ヘッド用基板。
【請求項５】
複数の液体吐出素子と、
第１方向に並ぶ複数の電源端子と、
前記複数の電源端子のうちｎ個（ｎは１以上の自然数）と接続される格子状の第１配線と、
を有し、
前記第１配線は、前記複数の液体吐出素子のそれぞれ異なる１つに接続されるための複数の接続部を有し、
前記複数の接続部は、前記ｎ個の電源端子からの抵抗が最も大きい第１接続部と、前記第１接続部から最も遠い位置にある第２接続部を有し、
前記ｎ個の電源端子の第ｉの電源端子（ｉは１以上ｎ以下の自然数）に、Ｎｉ個の外部からの配線が接続され、
前記第１方向において、前記第ｉの電源端子の位置座標をＣｉとすると、前記ｎ個の電源端子の接続重心Ｃｃは、
【数１】
2018001585.tif 000001
で表され、
前記第１接続部の位置座標をＣａ、前記第２接続部の位置座標をＣｂとしたときに、
ＣａとＣｃの差の絶対値が、ＣｂとＣｃの差の絶対値より小さいことを特徴とする液体吐出ヘッド用基板。
【請求項６】
前記複数の電源端子うち前記ｎ個の電源端子とは別の少なくとも１つに接続され、前記第１配線とは異なる電位が供給される格子状の第２配線を有し、
前記第１方向において、前記第１配線と接続される前記ｎ個の電源端子の接続重心、及び前記第２配線と接続される前記少なくとも１つの電源端子の接続重心は、前記第１接続部からの距離の方が、前記第２接続部からの距離より小さいことを特徴とする請求項５に記載の液体吐出ヘッド用基板。
【請求項７】
前記複数の接続部は、それぞれが前記第１方向に沿って並ぶ複数の接続部を有する複数の列を有し、
前記複数の列は、前記第１方向と交差する第２方向に並んでおり、
前記第１接続部は、前記第２方向において、前記ｎ個の電源端子から最も遠い列に含まれることを特徴とする請求項５に記載の液体吐出ヘッド用基板。
【請求項８】
前記第１接続部は、前記ｎ個の電源端子から最も遠い列に含まれる接続部のうち、最も端に位置することを特徴とする請求項７に記載の液体吐出ヘッド用基板。
【請求項９】
第１方向に沿って延びる第１の辺及び第２の辺と、前記第１方向と交差する第２方向に沿って延びる第３の辺及び第４の辺と、を少なくとも有する基板と、
前記基板に配された複数の液体吐出素子と、
前記基板の第１の辺に沿って配された複数の電源端子と、
前記複数の電源端子のうちｎ個（ｎは１以上の自然数）の電源端子に接続される格子状の第１配線と、
を有し、
前記第１配線は、前記複数の液体吐出素子のそれぞれ異なる１つに接続されるための複数の接続部を有し、
前記基板は、
前記第１の辺を含む直線と前記第３の辺を含む直線の交点から、前記第２の辺を含む直線に下した垂線と、前記第３の辺とを外縁に含む第１領域と、
前記垂線と前記第４の辺とを外縁に含む第２領域と、を有し、
前記複数の接続部の少なくとも１つは、前記第１領域に配され、
前記第１方向において、前記ｎ個の電源端子の位置座標の和をｎで割って得られる、前記ｎ個の電源配線の配置重心の位置座標をＣｍとしたときに、
前記位置座標Ｃｍを有する前記配置重心は、前記第４の辺より前記第３の辺に近い位置に配されていることを特徴とする液体吐出ヘッド用基板。
【請求項１０】
前記複数の電源端子の少なくとも１つに接続される格子状の第２配線を有し、
前記第１配線と接続される前記ｎ個の電源端子の配置重心と前記第３の辺との距離は、前記第２配線と接続される前記少なくとも１つの電源端子の配置重心と前記第３の辺との距離より小さいことを特徴とする請求項９に記載の液体吐出ヘッド用基板。
【請求項１１】
第１方向に沿って延びる第１の辺及び第２の辺と、前記第１方向と交差する第２方向に沿って延びる第３の辺及び第４の辺と、を少なくとも有する基板と、
前記基板に配された複数の液体吐出素子と、
前記基板の第１の辺に沿って配された複数の電源端子と、
前記複数の電源端子のうちｎ個（ｎは１以上の自然数）の電源端子に接続される格子状の第１配線と、
を有し、
前記第１配線は、前記複数の液体吐出素子のそれぞれ異なる１つに接続されるための複数の接続部を有し、
前記基板は、
前記第１の辺を含む直線と前記第３の辺を含む直線の交点から、前記第２の辺を含む直線に下した垂線と、前記第３の辺とを含む第１領域と、
前記垂線と前記第４の辺とを含む第２領域と、を有し、
前記複数の接続部の少なくとも１つは、前記第１領域に配され、
前記ｎ個の電源端子の第ｉの電源端子（ｉは１以上ｎ以下の自然数）に、Ｎｉ個の外部からの配線が接続され、
前記第１方向において、前記第ｉの電源端子の位置座標をＣｉとすると、前記ｎ個の電源端子の接続重心の位置座標Ｃｃは、
【数２】
2018001585.tif 000002
で表され、
前記位置座標Ｃｃを有する前記ｎ個の電源端子の接続重心は、前記第４の辺より前記第３の辺に近い位置に配されていることを特徴とする液体吐出ヘッド用基板。
【請求項１２】
前記複数の電源端子の少なくとも１つに接続される格子状の第２配線を有し、
前記第１配線と接続される前記ｎ個の電源端子の接続重心と前記第３の辺との距離は、前記第２配線と接続される前記少なくとも１つの電源端子の接続重心と前記第３の辺との距離より小さいことを特徴とする請求項１１に記載の液体吐出ヘッド用基板。
【請求項１３】
前記複数の接続部は、それぞれが前記第１方向に沿って並ぶ複数の接続部を有する複数の列を有し、
前記列は、前記第２方向に並び、
前記第１領域に配された前記少なくとも１つの接続部は、前記複数の接続部のうち、前記第１の辺から最も遠い接続部の列に含まれることを特徴とする請求項９乃至１２のいずれか１項に記載の液体吐出ヘッド用基板。
【請求項１４】
前記第１領域に配された前記少なくとも１つの接続部は、前記前記第１の辺から最も遠い接続部の列に含まれる接続部のうち、前記第３の辺に最も近いことを特徴とする請求項１３に記載の液体吐出ヘッド用基板。
【請求項１５】
前記第１の辺を含む直線と前記第３の辺を含む直線の交点から、前記第２の辺を含む直線に下した垂線は、前記第２の辺と交差することを特徴とする請求項９乃至１４のいずれか１項に記載の液体吐出ヘッド用基板。
【請求項１６】
前記ｎ個の第１電源端子において、前記第４の辺までの距離より第３の辺までの距離の方が小さい位置に配されている前記第１電源端子の数が、前記第３の辺までの距離より第４の辺までの距離が小さい位置に配されている前記第１電源端子の数より大きいことを特徴とする請求項９乃至１５のいずれか１項に記載の液体吐出ヘッド用基板。
【請求項１７】
前記基板は、平行四辺形であることを特徴とする請求項１乃至１６のいずれか１項に記載の液体吐出ヘッド用基板。
【請求項１８】
前記液体吐出素子は、それぞれ対応する駆動素子に接続されていることを特徴とする請求項１乃至１７のいずれか１項に記載の液体吐出ヘッド用基板。
【請求項１９】
前記第１配線は、グランド電位を供給することを特徴とする請求項１乃至１８のいずれか１項に記載の液体吐出ヘッド用基板。
【請求項２０】
前記液体吐出素子の一端は、第１駆動素子を介して前記第１配線に接続されていることを特徴とする請求項１乃至１９のいずれか１項に記載の液体吐出ヘッド用基板。
【請求項２１】
前記第１配線とは異なる電位を供給する第２配線を有し、
前記液体吐出素子は、前記第１配線と前記第２配線の間に接続されていることを特徴とする請求項１乃至２０のいずれか１項に記載の液体吐出ヘッド用基板。
【請求項２２】
前記液体吐出素子の一端は、第２駆動素子を介して前記第２配線に接続されていることを特徴とする請求項２１に記載の液体吐出ヘッド用基板。
【請求項２３】
前記液体吐出素子の一端は、第１駆動素子を介して前記第１配線に接続され、もう一端は、第２駆動素子を介して前記第２配線に接続されていることを特徴とする請求項２１に記載の液体吐出ヘッド用基板。
【請求項２４】
前記接続部は、前記第１配線の一部であって、他の配線と接続される部分、または他の配線との接続のためのコンタクトプラグに接続される部分である請求項１乃至２３のいずれか１項に記載の液体吐出ヘッド用基板。
【請求項２５】
前記格子状とは、複数の開口を有する平面形状であることを特徴とする請求項１乃至２３のいずれか１項に記載の液体吐出ヘッド用基板。
【請求項２６】
複数のノズルと、
前記複数のノズルに対向する請求項１乃至２５のいずれか１項に記載の液体吐出ヘッド用基板と、
を有する液体吐出ヘッド。
【請求項２７】
請求項２６に記載の液体吐出ヘッドと、
前記液体吐出ヘッドに取り付けられたインクタンクと、
を有する記録装置。
【手続補正２】
【補正対象書類名】明細書
【補正対象項目名】０００５
【補正方法】変更
【補正の内容】
【０００５】
本明細書に記載の液体吐出ヘッド用基板の一様態は、
第１方向に沿って延びる第１の辺及び第２の辺と、前記第１方向と交差する第２方向に沿って延びる第３の辺及び第４の辺と、を少なくとも有する基板と、
前記基板に配された複数の液体吐出素子と、
前記基板の第１の辺に沿って配された複数の電源端子と、
前記複数の電源端子と接続される格子状の第１配線と、
を有し、
前記基板において、前記第１の辺と前記第３の辺の成す角が鈍角であり、前記第１の辺と前記第４の辺の成す角が鋭角であり、
前記複数の電源端子において、前記第４の辺までの距離より第３の辺までの距離のほうが小さい位置にある電源端子の数が、前記第３の辺までの距離より前記第４の辺までの距離のほうが小さい位置にある電源端子の数より多い。